(57)【要約】【課題】  裾や袖の部分で生地を多重に重ねなくとも、裾丈や袖丈を複数段階で調節することが可能な衣服を提供する。【解決手段】  ［１］下端縁Ｅ２が仮想線Ｌ１に重なるように衣服生地１１を仮想線Ｌ２で裏面側に折り返す第一折返工程と、［２］衣服生地１１の下端縁Ｅ２を仮想線Ｌ１に対して縫着する第一縫着工程と、［３］仮想線Ｌ３が仮想線Ｌ４に重なるように、衣服生地１１を仮想線Ｌ３で持ち上げて折り返し、仮想線Ｌ２で衣服生地１１を伸ばしながら仮想線Ｌ５で衣服生地１１を裏面側に折り返す第二折返工程と、［４］衣服生地１１の仮想線Ｌ３を仮想線Ｌ４に対して縫着する第二縫着工程とを経ることによって衣服を製造する。図２（iii）の初期状態から第二縫着工程で縫着された第二縫着部βの縫糸を解くことで、図２（ii）に示すように、裾丈又は袖丈を初期状態よりも長くして着用できる。【選択図】図２
2015040364.tif 000002
【特許請求の範囲】
【請求項１】
衣服生地の下縁部に、
衣服生地の裾線又は袖線から裏面側上向きに延びる上向き折返部と、
衣服生地における折り返されていない部分と上向き折返部との隙間に配されて上向き折返部の上端縁から下向きに延びる下向き折返部と
が形成されるとともに、
衣服生地における折り返されていない部分と下向き折返部の下端縁とが該下端縁に沿って互いに縫着された第一縫着部とされて、
衣服生地における折り返されていない部分と上向き折返部の上端縁とが該上端縁に沿って互いに縫着された第二縫着部とされ、
第二縫着部が解かれていない初期状態から第二縫着部を解くことにより、裾丈又は袖丈を初期状態よりも長くして着用できるようにしたことを特徴とする衣服。
【請求項２】
第二縫着部における縫着が、衣服生地とは異なる色の縫糸を用いて行われるとともに、該縫糸を衣服生地における折り返されていない部分の表面側に露出させない縫い方によって行われた請求項１記載の衣服。
【請求項３】
生地の上端縁Ｌ１と下端縁Ｅ２との間に位置する仮想線Ｌ１に下端縁Ｅ２が重なるように、仮想線Ｌ１と下端縁Ｅ２との中間に位置する仮想線Ｌ２で生地を裏面側に折り返す第一折返工程と、
生地の下端縁Ｅ２を仮想線Ｌ１に対して縫着する第一縫着工程と、
仮想線Ｌ２と下端縁Ｅ２との間に位置する仮想線Ｌ３が上端縁Ｅ１と仮想線Ｌ１との間に位置する仮想線Ｌ４に重なるように、仮想線Ｌ３で衣服生地を持ち上げて裏面側に折り返し、仮想線Ｌ２で衣服生地を伸ばしながら、仮想線Ｌ１と仮想線Ｌ２との間に位置する仮想線Ｌ５で生地を裏面側に折り返す第二折返工程と、
生地の仮想線Ｌ３を仮想線Ｌ４に対して縫着する第二縫着工程と
を経ることにより、
第二縫着工程で縫着された部分が解かれていない初期状態から第二縫着工程で縫着された部分を解くことで、その上下丈を初期状態よりも長くすることができる布製品の製造方法。
【発明の詳細な説明】
【技術分野】
【０００１】
本発明は、裾丈又は袖丈を調節することが可能な衣服と、上下丈を調節することが可能な布製品の製造方法とに関する。
【背景技術】
【０００２】
衣服を購入した人の体型やその人の身体の成長などに応じて、裾丈や袖丈を調節することができるようにした衣服は、例えば、特許文献１〜５に示すように、各種のものが提案されている。特許文献１〜５の衣服は、所定の糸を適宜切断して除去していくことにより、その裾丈や袖丈を長くしていくことができるものとなっている。
【０００３】
しかし、特許文献１の衣服は、同文献の図面に示されるように、裾の部分で局所的に生地が多数回折り返されて何重にも重なった構造となっているため、その部分の生地が硬くなって、衣服の着用感が悪化するおそれがある。加えて、特許文献１の衣服は、その生地が何重にも重なった部分を糸で互いに縫着する必要があるため、縫着後の生地にシワが形成されるなどして衣服の外観が悪くなるおそれがあるだけでなく、衣服の裾丈を伸ばす際に糸を綺麗に除去するのが難しいという問題がある。
【０００４】
また、特許文献２〜４の衣服は、表地に加えて裏地を有する構造に限定されるという欠点がある。このうち、特許文献３，４の衣服は、裾丈を２段階でしか調節できず、３段階以上とすることができないという欠点もある。さらに、特許文献５の衣服は、同文献の図１５などに示されるように、裾の部分で局所的に生地が多数回折り返されて何重にも重なった構造となっているため、その部分の生地が硬くなって、衣服の着用感が悪化するおそれがある。
【先行技術文献】
【特許文献】
【０００５】
【特許文献１】実公昭３４−０１０４９２号公報
【特許文献２】特公昭４０−００４１１０号公報
【特許文献３】実公昭５１−０２１８４２号公報
【特許文献４】特開昭６３−１０５１０３号公報
【特許文献５】特開２００２−２４９９０４号公報
【発明の概要】
【発明が解決しようとする課題】
【０００６】
本発明は、上記課題を解決するために為されたものであり、裾や袖の部分で生地を多重に重ねなくとも、裾丈や袖丈を複数段階で調節することが可能な衣服を提供するものである。また、着用感や外観が良好な衣服を提供することも本発明の目的である。さらに、裾丈や袖丈を伸ばす際の作業が容易であり、当該作業を糸くずなどを残すことなく綺麗に行うことのできる衣服を提供することも本発明の目的である。さらにまた、裾丈や袖丈を３段階以上で調節することが可能な衣服を提供することも本発明の目的である。そして、裏地を有さない構造の衣服においても、裾丈や袖丈の調節ができるようにすることも本発明の目的である。そしてまた、裾丈又は袖丈を調節することが可能な衣服のほか、上下丈を調節することが可能なカーテンなど、その上下丈を調節することが可能な布製品を好適に製造することのできる布製品の製造方法を提供するものである。
【課題を解決するための手段】
【０００７】
上記課題は、
衣服生地の下縁部に、
衣服生地の裾線又は袖線から裏面側上向きに延びる上向き折返部と、
衣服生地における折り返されていない部分と上向き折返部との隙間に配されて上向き折返部の上端縁から下向きに延びる下向き折返部と
が形成されるとともに、
衣服生地における折り返されていない部分と下向き折返部の下端縁とが該下端縁に沿って互いに縫着された第一縫着部とされて、
衣服生地における折り返されていない部分と上向き折返部の上端縁とが該上端縁に沿って互いに縫着された第二縫着部とされ、
第二縫着部が解かれていない初期状態から第二縫着部を解くことにより、裾丈又は袖丈を初期状態よりも長くして着用できるようにしたことを特徴とする衣服
を提供することによって解決される。
このとき、さらに第一縫着部を解くことにより、裾丈又は袖丈をさらに長くして着用することもできる。
【０００８】
ここで、衣服とは、裾又は袖を有する衣服のことを云う。裾を有する衣服としては、スカート又はズボンなどの下衣のほか、ジャケットなどの上衣が挙げられる。また、袖を有する衣服としては、ジャケットなどの上衣が挙げられる。
【０００９】
本発明の衣服における裾又は袖の部分は、初期状態において、衣服生地における折り返されていない部分と上向き折返部と下向き折返部との３重構造となっている。本発明の衣服においては、その裾丈や袖丈を２段階で調節できるのは勿論のこと、３段階以上で調節できるようにすることも可能である。加えて、３段階以上で調節できるようにした場合であっても、裾又は袖の部分は３重構造で足りるものとなっている。このため、衣服の着用感や外観を良好に保つことが可能となっている。また、裾丈や袖丈を伸ばす際の糸（第二縫着部を形成する糸や第一縫着部を形成する糸）を綺麗に除去することもできる。
【００１０】
本発明の衣服においては、第二縫着部における縫着を、衣服生地とは異なる色の縫糸を用いて行うとともに、該縫糸を衣服生地における折り返されていない部分の表面側に露出させない縫い方によって行うと好ましい。これにより、衣服の裾丈や袖丈を伸ばそうとする人は、切断すべき糸を容易に認識することが可能になる。また、その糸が衣服生地における折り返されていない部分の表面側に露出することもないので、その糸が衣服の外観を損ねることもない。第二縫着部だけでなく、第一縫着部も解くことを想定する場合には、第二縫着部における縫着も、衣服生地とは異なる色の縫糸を用いて行うとともに、該縫糸を衣服生地における折り返されていない部分の表面側に露出させない縫い方によって行うと好ましい。
【００１１】
また、上記課題は、
生地の上端縁Ｌ１と下端縁Ｅ２との間に位置する仮想線Ｌ１に下端縁Ｅ２が重なるように、仮想線Ｌ１と下端縁Ｅ２との中間に位置する仮想線Ｌ２で生地を裏面側に折り返す第一折返工程と、
生地の下端縁Ｅ２を仮想線Ｌ１に対して縫着する第一縫着工程と、
仮想線Ｌ２と下端縁Ｅ２との間に位置する仮想線Ｌ３が上端縁Ｅ１と仮想線Ｌ１との間に位置する仮想線Ｌ４に重なるように、仮想線Ｌ３で衣服生地を持ち上げて裏面側に折り返し、仮想線Ｌ２で衣服生地を伸ばしながら、仮想線Ｌ１と仮想線Ｌ２との間に位置する仮想線Ｌ５で生地を裏面側に折り返す第二折返工程と、
生地の仮想線Ｌ３を仮想線Ｌ４に対して縫着する第二縫着工程と
を経ることにより、
第二縫着工程で縫着された部分が解かれていない初期状態から第二縫着工程で縫着された部分を解くことで、その上下丈を初期状態よりも長くすることができる布製品の製造方法
を提供することによって解決される。
この布製品の製造方法は、上記衣服を製造する際に好適に採用することができるほか、カーテンなど、衣服以外の布製品を製造する場合にも好適に採用することができる。
【発明の効果】
【００１２】
以上のように、本発明によって、裾や袖の部分で生地を多重（４重以上）に重ねなくとも、裾丈や袖丈を複数段階で調節することが可能な衣服を提供することが可能になる。また、着用感や外観が良好な衣服を提供することも可能になる。さらに、裾丈や袖丈を伸ばす際の作業が容易であり、当該作業を糸くずなどを残すことなく綺麗に行うことのできる衣服を提供することも可能になる。さらにまた、裾丈や袖丈を３段階以上で調節することが可能な衣服を提供することも可能になる。そして、裏地を有さない構造の衣服においても、裾丈や袖丈の調節ができるようにすることも可能になる。そしてまた、裾丈又は袖丈を調節することが可能な衣服のほか、上下丈を調節することが可能なカーテンなど、その上下丈を調節することが可能な布製品を好適に製造することのできる布製品の製造方法を提供することも可能になる。
【図面の簡単な説明】
【００１３】
【図１】第一実施態様のスカートにおいて、その裾丈を段階的に長くしていく様子を示した図である。
【図２】第一実施態様のスカートの製造方法を説明する図である。
【図３】第二実施態様のスカートにおいて、そのスカート生地の下縁部を折り返すとともに縫着していく様子をスカート生地に垂直な平面で切断した状態を示した断面図である。
【発明を実施するための形態】
【００１４】
本発明の衣服の好適な実施態様について、図面を用いてより具体的に説明する。以下においては、２つの実施態様（第一実施態様及び第二実施態様）のスカートを例に挙げて本発明の衣服を説明するが、本発明の技術的範囲は、これらの実施態様に限定されることなく、発明の主旨を損なわない範囲で適宜変更を施すことができる。また、以下で述べた構成は、ズボンや上衣など、スカート以外の衣服や、カーテンなど衣服以外の布製品においても、同様の構成を採用することができる。
【００１５】
１．  第一実施態様のスカート
図１は、第一実施態様のスカートにおいて、その裾丈を段階的に長くしていく様子を示した図である。図２は、第一実施態様のスカートの製造方法を説明する図である。図２は、図１のスカート生地１１を、スカート生地１１に垂直な鉛直面で切断した状態を示した断面図として描いている。また、図２においては、図示の便宜上、スカート生地１１における折り返された部分と折り返されていない部分との隙間や、スカート生地１１における折り返された部分同士の隙間を実際よりも広く描くなど、実際とは異なる寸法で描いている。
【００１６】
第一実施態様のスカート１０は、図１に示すように、スカート生地１１と、スカート生地１１の上端縁に沿って設けられたウエストベルト１２とで構成されている。このスカート１０は、図１（ａ）に示す初期状態から図１（ｂ）に示す第一伸長状態となるまで２段階で、又は、図１（ａ）に示す初期状態から図１（ｂ）に示す第一伸長状態を経て図１（ｃ）に示す最大伸長状態となるまで３段階で、その裾丈を長くすることが可能なものとなっている。図１（ａ）に示す初期状態において、スカート生地１１の下縁部は、図２（iii）に示す状態となっている。また、図１（ｂ）に示す第一伸長状態において、スカート生地１１の下縁部は、図２（ii）に示す状態となっている。さらに、図１（ｃ）に示す最大伸長状態において、スカート生地１１の下縁部は、図２（i）に示す状態となっている。以下、スカート１０の初期状態、第一伸長状態及び最大伸長状態について順に説明する。
【００１７】
１．１  初期状態
図１（ａ）に示す初期状態において、スカート生地１１の下縁部には、図２（iii）に示すように、上向き折返部と下向き折返部とが形成されている。図２（iii）において、「上向き折返部」とは、同図のスカート生地１１における仮想線Ｌ５と仮想線Ｌ３との間に位置する部分のことを指している。第一実施態様のスカートが初期状態にあるときには、「上向き折返部」を「上向き折返部Ｌ５−Ｌ３」と表記することがある。一方、図２（iii）において、「下向き折返部」とは、同図のスカート生地１１における仮想線Ｌ３と下端縁Ｅ２との間に位置する部分のことを指している。第一実施態様のスカートが初期状態にあるときには、「下向き折返部」を「下向き折返部Ｌ３−Ｅ２」と表記することがある。
【００１８】
上向き折返部Ｌ５−Ｌ３は、スカート生地１１の裾線（図１（ａ）及び図２（iii）においては、スカート生地１１における仮想線Ｌ５に一致。）から裏面側上向きに延びる部分となっている。一方、下向き折返部Ｌ３−Ｅ２は、スカート生地１１における折り返されていない部分（図２（iii）のスカート生地１１における上端縁Ｅ１と仮想線Ｌ５との間に位置する部分。以下、「非折返部Ｅ１−Ｌ５」と表記することがある。）と上向き折返部Ｌ５−Ｌ３との隙間に配されて上向き折返部Ｌ５−Ｌ３の上端縁（図２（iii）のスカート生地１１における仮想線Ｌ３に一致。）から下向きに延びる部分となっている。下向き折返部Ｌ３−Ｅ２の上下幅は、上向き折返部Ｌ５−Ｌ３の上下幅よりも狭くなっている。
【００１９】
また、図２（iii）に示す初期状態において、スカート生地１１における下向き折返部Ｌ３−Ｅ２の下端縁（図２（iii）のスカート生地１１における下端縁Ｅ２に一致。）は、非折返部Ｅ１−Ｌ５における仮想線Ｌ１に沿って縫着された第一縫着部αとなっている。一方、スカート生地１１における上向き折返部Ｌ５−Ｌ３の上端縁（図２（iii）のスカート生地１１における仮想線Ｌ３に一致。）は、非折返部Ｅ１−Ｌ５における仮想線Ｌ４に沿って縫着された第二縫着部βとなっている。スカート１０は、この初期状態で出荷及び販売される。初期状態においては、図１（ａ）及び図２（iii）に示すように、仮想線Ｌ５がスカート１０の裾線になっており、スカート１０の裾丈は短くなっている。
【００２０】
１．２  第一伸長状態
図２（iii）に示す初期状態から、第二縫着部βを解いて（第二縫着部βの縫糸を切断して）、スカート生地１１を裾線（仮想線Ｌ５）付近で下側に引っ張ると、図２（ii）に示すように、仮想線Ｌ３及び仮想線Ｌ５でスカート生地１１が伸びる（仮想線Ｌ３及び仮想線Ｌ５での折り返しが解消される）とともに、新たに仮想線Ｌ２でスカート生地１１が裏面側に折り返された状態となる。すなわち、スカート１０は、図１（ｂ）に示す第一伸長状態となる。第一伸長状態においては、図１（ｂ）及び図２（ii）に示すように、仮想線Ｌ２がスカート１０の裾線になっており、スカート１０の裾丈は、図１（ａ）及び図２（iii）に示す初期状態よりも長くなっている。この第一伸長状態においては、スカート生地１１における仮想線Ｌ２と下端縁Ｅ２との間に位置する部分が上向き折返部となり、下向き折返部は存在しなくなっている。
【００２１】
初期状態から第一伸長状態への変形作業は、スカート１０の販売者など、業者が行ってもよい。しかし、当該変形作業は、第二縫着部βを形成する縫糸を切断するだけでよいので、スカート１０の購入者などが自分で行うことができる。ところで、スカート１０を初期状態から第一伸長状態とした直後は、仮想線Ｌ５及び仮想線Ｌ３に沿ってスカート生地１１に折り目が残っている場合がある。また、スカート生地１１における仮想線Ｌ２での折り返しが甘い（仮想線Ｌ２で折り返しのクセがついていない）場合がある。このような場合には、スカート１０を初期状態から第一伸長状態とした後、スカート生地１１の下縁部にアイロンを当てると、スカート生地１１の下縁部を綺麗に整えることができる。
【００２２】
１．３  最大伸長状態
図２（ii）に示す第一伸長状態から、第一縫着部αを解いて（第一縫着部αの縫糸を切断して）、スカート生地１１の下端縁Ｅ２付近を下側に引っ張ると、図２（i）に示すように、仮想線Ｌ２でスカート生地１１が伸び（仮想線Ｌ２での折り返しが解消され）、スカート生地１１は、その上端縁Ｅ１から下端縁Ｅ２まで至る全体が伸びた状態となる。すなわち、スカート１０は、図１（ａ）に示す最大伸長状態となる。最大伸長状態においては、図１（ｃ）及び図２（i）に示すように、下端縁Ｅ２がスカート１０の裾線になっており、スカート１０の裾丈は、図１（ｂ）及び図２（ii）に示す第一伸長状態よりもさらに長くなっている。この最大伸長状態においては、上向き折返部も下向き折返部も存在しなくなっている。
【００２３】
第一伸長状態から最大伸長状態への変形作業は、スカート１０の販売者など、業者が行ってもよい。しかし、当該変形作業は、第二縫着部αを形成する縫糸を切断するだけでよいので、スカート１０の購入者などが自分で行うことができる。ところで、スカート１０を第一伸長状態から最大伸長状態とした直後は、仮想線Ｌ２などに沿ってスカート生地１１に折り目が残っている場合がある。このような場合には、スカート１０を最大伸長状態とした後、スカート生地１１の下縁部にアイロンを当てると、スカート生地１１の下縁部を綺麗に整えることができる。
【００２４】
ところで、ここでは、初期状態から第一伸長状態を経て最大伸長状態とるまでの３段階でスカートの裾丈を調節できるようにした場合について説明したが、本発明の技術的範囲には、初期状態から第一伸長状態までの２段階のみで裾丈（又は袖丈）を調節できるものも含まれる。すなわち、第一縫着部αを形成する縫糸を切断して最大伸長状態とすることを想定していないものも含まれる。この場合、第一縫着部αは、スカート生地１１の端部処理としてのまつり縫い部分などとして機能させる。また、本発明の技術的範囲には、後述する第二実施態様のスカートのように、４段階以上で裾丈（又は袖丈）を調節できるものも含まれる。
【００２５】
２．  第一実施態様のスカートの製造方法
続いて、図１に示した第一実施態様のスカート１０の製造方法について説明する。図１に示すスカート１０は、その製造方法が一義的に定まるものではないが、以下の製造方法により好適に製造することができる。すなわち、第一実施態様のスカート１０は、以下で述べる準備段階と、第一折返工程と、第一縫着工程と、第二折返工程と、第二縫着工程と、所定の後工程とを経て好適に製造することができる。これらの工程について順に詳しく説明する。
【００２６】
２．１  準備段階（第一実施態様のスカート）
まず、図２（i）に示すように、所定形状に裁断されたスカート生地１１を用意する。図２において、スカート生地１１は、１枚生地として描いてあるが、表地と裏地の２枚生地からなるものなど、複数枚の生地を重ねたものであってもよい。また、図２において、スカート生地１１の上端縁Ｅ１及び下端縁Ｅ２は、切れっ放しの状態で描いてあるが、上端縁Ｅ１及び下端縁Ｅ２には、通常、かがり縫いやまつり縫いなど、ほつれ防止のための端部処理が施される。
【００２７】
２．２  第一折返工程（第一実施態様のスカート）
第一折返工程は、スカート生地１１を図２（i）に示す状態から図２（ii）に示す状態へと折り返す工程である。すなわち、図２（i）のスカート生地１１の下端縁Ｅ２が仮想線Ｌ１に重なるように（同図の矢印ａ１で示すように）、仮想線Ｌ２でスカート生地１１を裏面側に折り返す工程である。ここで、仮想線Ｌ１は、スカート生地１１の上端縁Ｌ１と下端縁Ｅ２との間に位置する仮想の線であって、下端縁Ｅ２に対して平行な線を意味している。また、仮想線Ｌ２は、スカート生地１１の仮想線Ｌ１と下端縁Ｅ２との中間に位置する仮想の線であって、下端縁Ｅ２に対して平行な線を意味している。第一折返工程における仮想線Ｌ２での折り返しが甘い（仮想線Ｌ２で折り返しのクセがついていない）と、続く第一縫着工程における縫着を行いにくくなるため、第一折返工程を終えた後には、必要に応じて、スカート生地１１の下縁部にアイロンを当てたりスチームプレスをしたりするなどの処理を行うと好ましい。
【００２８】
ところで、スカート生地１１における仮想線Ｌ２と下端縁Ｅ２との距離（上下方向での間隔）は、スカートを図１（ｂ）に示す第一伸長状態から図１（ｃ）に示す最大伸長状態へと変形する際の裾丈の伸長幅に一致する。仮想線Ｌ２と下端縁Ｅ２との距離は、特に限定されないが、短くしすぎると、スカートを第一伸長状態から最大伸長状態へと変形する際の裾丈の伸長幅を広く確保することが困難になるだけでなく、必然的に、スカートを初期状態から第一伸長状態へと変形する際の裾丈の伸長幅を広く確保することも困難になる。このため、仮想線Ｌ２と下端縁Ｅ２との距離は、通常、２０ｍｍ以上とされる。仮想線Ｌ２と下端縁Ｅ２との距離は、３０ｍｍ以上とすると好ましく、４０ｍｍ以上とするとより好ましい。
【００２９】
一方、スカート生地１１における仮想線Ｌ２と下端縁Ｅ２との距離を長くしすぎると、スカートを第一伸長状態から最大伸長状態へと変形する際の裾丈の伸長幅が広くなり過ぎてしまう。また、スカート生地１１を上下にわたる広い範囲に折り返された部分が存在するようになり、スカートの通気性が低下するおそれもある。このため、仮想線Ｌ２と下端縁Ｅ２との距離は、通常、１５０ｍｍ以下とされる。仮想線Ｌ２と下端縁Ｅ２との距離は、１２０ｍｍ以下とすると好ましく、１００ｍｍ以下とするとより好ましい。第一実施態様のスカートにおいて、スカート生地１１における仮想線Ｌ２と下端縁Ｅ２との距離は６０ｍｍとしている。
【００３０】
２．３  第一縫着工程（第一実施態様のスカート）
第一縫着工程は、図２（ii）に示すように、スカート生地１１の下端縁Ｅ２を仮想線Ｌ１に対して縫着することにより、第一縫着部αを形成する工程である。第一縫着工程は、手縫いで行ってもよいが、通常、ミシンを用いて行われる。上述したように、スカートを初期状態から第一伸長状態までの２段階のみで裾丈を調節できるもの（第一縫着部αを形成する縫糸を切断して最大伸長状態とすることを想定していないもの）とする場合には、第一縫着部αでは、まつり縫いなどを行い、スカート生地１１の端部処理を行う。この場合には、第一縫着部αを形成する縫糸を特に目立たせる必要がないので、スカート生地１１と同じ色（若しくは同じ系統の色）の縫糸を使用して第一縫着部αを形成してもよい。
【００３１】
一方、スカートを初期状態から第一伸長状態を経て最大伸長状態となるまでの３段階で裾丈を調節できるもの（第一縫着部αを形成する縫糸を切断して最大伸長状態とすることを想定したもの）とする場合には、第一縫着部αは、それを形成する縫糸が事後的に切断される可能性があり、第一縫着部αを形成する縫糸を目立たせた方が好ましい。すなわち、スカート生地１１と異なる色（若しくは異なる系統の色）の縫糸を使用して第一縫着部αを形成すると好ましい。これにより、スカートの裾丈を伸ばそうとする人は、切断すべき縫糸を一目で認識することが可能になる。スカート生地１１の色（色相、明度及び彩度）と第一縫着部αを形成する縫糸の色（色相、明度及び彩度）との具体的な関係については、後述する第二縫着工程におけるスカート生地１１の色（色相、明度及び彩度）と第二縫着部βを形成する縫糸の色（色相、明度及び彩度）についてのものをそのまま採用することができる。
【００３２】
２．４  第二折返工程（第一実施態様のスカート）
第二折返工程は、スカート生地１１を図２（ii）に示す状態から図２（iii）に示す状態へと折り返す工程である。すなわち、図２（ii）のスカート生地１１の仮想線Ｌ３が仮想線Ｌ４に重なるように（同図の矢印ａ２で示すように）、仮想線Ｌ３でスカート生地１１を持ち上げて裏面側に折り返し、仮想線Ｌ２でスカート生地１１を伸ばしながら（仮想線Ｌ２での折り返しを解消しながら）、仮想線Ｌ５でスカート生地１１を裏面側に折り返す工程である。ここで、仮想線Ｌ３は、スカート生地１１の仮想線Ｌ２と下端縁Ｅ２との間に位置する仮想の線であって、下端縁Ｅ２に対して平行な線を意味している。また、仮想線Ｌ４は、スカート生地１１の上端縁Ｅ１と仮想線Ｌ１との間に位置する仮想の線であって、下端縁Ｅ２に対して平行な線を意味している。さらに、仮想線Ｌ５は、スカート生地１１の仮想線Ｌ１と仮想線Ｌ２との間に位置する仮想の線であって、下端縁Ｅ２に対して平行な線を意味している。
【００３３】
このとき、第二折返工程における仮想線Ｌ５及び仮想線Ｌ３での折り返しが甘かったり（仮想線Ｌ５及び仮想線Ｌ３で折り返しのクセがついていなかったり）、第二折返工程後のスカート生地１１に第一折返工程での折り返しのクセ（仮想線Ｌ２での折り返しのクセ）が残っていたりすると、続く第二縫着工程における縫着を行いにくくなるため、第二折返工程を終えた後には、必要に応じて、スカート生地１１の下縁部にアイロンを当てたりスチームプレスをしたりするなどの処理を行うと好ましい。
【００３４】
ところで、スカート生地１１における仮想線Ｌ３と下端縁Ｅ２との距離（上下方向での間隔）は、スカート生地１１における仮想線Ｌ５と仮想線Ｌ２との距離（上下方向の間隔）、すなわち、スカートを図１（ａ）に示す初期状態から図１（ｂ）の第一伸長状態へと変形する際の裾丈の伸長幅に一致する。仮想線Ｌ３と下端縁Ｅ２との距離は、特に限定されないが、短くしすぎると、スカートを初期状態から第一伸長状態へと変形する際の裾丈の伸長幅を広く確保することが困難になる。このため、仮想線Ｌ３と下端縁Ｅ２との距離は、通常、１０ｍｍ以上とされる。仮想線Ｌ３と下端縁Ｅ２との距離は、１５ｍｍ以上とすると好ましく、２０ｍｍ以上とするとより好ましい。
【００３５】
一方、スカート生地１１における仮想線Ｌ３と下端縁Ｅ２との距離を長くしすぎると、スカートを初期状態から第一伸長状態へと変形する際の裾丈の伸長幅が広くなり過ぎてしまう。加えて、上述したように、下向き折返部Ｌ３−Ｅ２の上下幅は、上向き折返部Ｌ５−Ｌ３の上下幅よりも短くなっており、仮想線Ｌ３と下端縁Ｅ２との距離は、必然的に、仮想線Ｌ５と仮想線Ｌ３との距離よりも長くすることができない（仮想線Ｌ３と下端縁Ｅ２との距離を、仮想線Ｌ５と仮想線Ｌ３との距離に一致させると、図２（ii），（iii）における仮想線Ｌ３が仮想線Ｌ２に一致し、仮想線Ｌ５が仮想線Ｌ１に一致することに注意。）。このため、仮想線Ｌ３と下端縁Ｅ２との距離は、通常、１５０ｍｍ以下とされる仮想線Ｌ３と下端縁Ｅ２との距離は、１００ｍｍ以下とすると好ましく、５０ｍｍ以下とするとより好ましい。第一実施態様のスカートにおいて、スカート生地１１における仮想線Ｌ３と下端縁Ｅ２との距離は３０ｍｍとしている。
【００３６】
第二折返工程を終えると、スカート生地１１の下縁部には、図２（iii）に示すように、スカート生地１１の裾線（仮想線Ｌ５）から裏面側上向きに延びる上向き折返部Ｌ５−Ｌ３と、スカート生地１１における非折返部Ｅ１−Ｌ５と上向き折返部Ｌ５−Ｌ３との隙間に配されて上向き折返部Ｌ５−Ｌ３の上端縁（仮想線Ｌ３）から下向きに延びる下向き折返部Ｌ３−Ｅ２とが形成された状態となっている。
【００３７】
２．５  第二縫着工程（第一実施態様のスカート）
第二縫着工程は、図２（iii）に示すように、スカート生地１１の仮想線Ｌ３を仮想線Ｌ４に対して縫着することにより、第二縫着部βを形成する工程である。第二縫着工程は、手縫いで行ってもよいが、通常、ミシンを用いて行われる。第二縫着部βを形成する縫糸は、スカートを図１（ａ）に示す初期状態から図１（ｂ）に示す第一伸長状態へと変形する際に、又は、スカートを図１（ａ）に示す初期状態から図１（ｃ）に示す最大伸長状態へと一気に変形する際に、事後的に切断される。このため、第二縫着部βを形成する縫糸は、できるだけ目立たせた方が好ましい。すなわち、スカート生地１１と異なる色（若しくは異なる系統の色）の縫糸を使用して第二縫着部βを形成すると好ましい。これにより、スカートの裾丈を伸ばそうとする人は、切断すべき縫糸を一目で認識することが可能になる。
【００３８】
具体的には、スカート生地１１の色相と第二縫着部βを形成する縫糸の色相に差を設けたり（例えば、それぞれの色相として、マンセルの色相環の中心から見て４５°以上、好ましくは９０°以上離れたものを選択することなどが挙げられる。）、スカート生地１１の明度と第二縫着部βを形成する縫糸の明度に差を設けたり（例えば、それぞれの明度として、マンセルカラーシステムで３階調以上、好ましくは５階調以上離れたものを選択することなどが挙げられる。）、スカート生地１１の彩度と第二縫着部βを形成する縫糸の彩度に差を設けたり（例えば、それぞれの彩度として、マンセルカラーシステムで３階調以上、好ましくは５階調以上離れたものを選択することなどが挙げられる。）、これらを組み合わせたりすると好ましい。例えば、スカート生地１１が黒色や灰色や紺色など、いわゆる地味な色である場合には、黄色や金色や黄緑色や橙色や赤色など、いわゆる派手な色の縫糸で第二縫着部βを形成すると、その縫糸を目立たせることができる。この逆の関係も成立する。
【００３９】
ただし、第二縫着部βを形成する縫糸をスカート生地１１から目立つ色のものとすると、第二縫着部βにおける縫糸がスカート生地１１における非折返部Ｅ１−Ｌ５の表面側（スカートの外面側）に露出した場合に、スカートの見栄えが悪くなるおそれがある。このため、第二縫着工程では、第二縫着部βを形成する縫着が、スカート生地１１における非折返部Ｅ１−Ｌ５の表面側に露出しない縫い方によって行うと好ましい。これにより、縫糸によるスカートの見栄えの悪化を防ぐことができる。縫着がスカート生地１１における非折返部Ｅ１−Ｌ５の表面側に露出しないようにした方が好ましいことについては、上述した第一縫着工程において、スカート生地１１と異なる色の縫糸を使用して第一縫着部αを形成する場合についても同様である。
【００４０】
２．６  後工程（第一実施態様のスカート）
第二縫着工程を終えると、必要に応じて、スカート生地１１にプリーツ加工などの加工を施し、スカート生地１１の上端縁Ｅ１（図２）に沿ってウエストベルト１２（図１）を縫着するなど、必要な部材を取り付けた後、スカート生地１１を筒状に縫着してスカート１０を完成させる。得られたスカート１０は、図１に示すように、図１（ａ）に示す初期状態から図１（ｂ）に示す第一伸長状態へとなるまで２段階で、又は、図１（ａ）に示す初期状態から図１（ｂ）に示す第一伸長状態を経て図１（ｃ）に示す最大伸長状態へとなるまで３段階で、その裾丈を調節することができるものとなっている。
【００４１】
３．  第二実施態様のスカート
ここまでは、裾丈を２段階又は３段階で調節できるスカートについて説明したが、本発明のスカートでは、さらに多段階でその裾丈を調節できるようにすることもできる。例えば、図３に示す第二実施態様のスカートでは、その裾丈を４段階又は５段階で調節することができる。図３は、第二実施態様のスカートにおいて、そのスカート生地１１の下縁部を折り返すとともに縫着していく様子をスカート生地１１に垂直な平面で切断した状態を示した断面図である。図３は、スカート生地１１を、スカート生地１１に垂直な鉛直面で切断した状態を示した断面図として描いている。また、図３においては、図示の便宜上、スカート生地１１における折り返された部分と折り返されていない部分との隙間や、スカート生地１１における折り返された部分同士の隙間を実際よりも広く描くなど、実際とは異なる寸法で描いている。以下において、特に言及しない構成については、上記の「１．  第一実施態様のスカート」で述べた構成を採用することができる。
【００４２】
第二実施態様のスカートも、図３（v）に示す初期状態においては、上述した第一実施態様のスカートと同様、スカート生地１１の下縁部には、上向き折返部と下向き折返部とが形成されている。図３（v）において、「上向き折返部」とは、同図のスカート生地１１における仮想線Ｌ１１と仮想線Ｌ９との間に位置する部分のことを指している。第二実施態様のスカートが初期状態にあるときには、「上向き折返部」を「上向き折返部Ｌ１１−Ｌ９」と表記することがある。一方、図３（v）において、「下向き折返部」とは、同図のスカート生地１１における仮想線Ｌ９と下端縁Ｅ２との間に位置する部分のことを指している。第二実施態様のスカートが初期状態にあるときには、「下向き折返部」を「下向き折返部Ｌ９−Ｅ２」と表記することがある。
【００４３】
第二実施態様のスカートは、図３（v）に示す初期状態から、第四縫着部δを解いて（第四縫着部δの縫糸を切断して）、スカート生地１１を裾線（仮想線Ｌ１１）付近で下側に引っ張ると、図３（iv）に示す第一伸長状態となる。この第一伸長状態においては、スカート生地１１における仮想線Ｌ８と仮想線Ｌ６との間に位置する部分が上向き折返部となり、スカート生地１１における仮想線Ｌ６と下端縁Ｅ２との間に位置する部分が下向き折返部となる。続いて、図３（iv）に示す第一伸長状態から、第三縫着部γを解いて（第三縫着部γの縫糸を切断して）、スカート生地１１を裾線（仮想線Ｌ８）付近で下側に引っ張ると、図３（iii）に示す第二伸長状態となる。この第二伸長状態においては、スカート生地１１における仮想線Ｌ５と仮想線Ｌ３との間に位置する部分が上向き折返部となり、スカート生地１１における仮想線Ｌ３と下端縁Ｅ２との間に位置する部分が下向き折返部となる。
【００４４】
さらに続いて、図３（iii）に示す第二伸長状態から、第二縫着部βを解いて（第二縫着部βの縫糸を切断して）、スカート生地１１を裾線（仮想線Ｌ５）付近で下側に引っ張ると、第三伸長状態（図２（ii）に相当する状態）となる。この第三伸長状態においては、スカート生地１１における仮想線Ｌ２と下端縁Ｅ２との間に位置する部分が上向き折返部となり、下向き折返部は存在しなくなる。そして、第三伸長状態（図２（ii）に相当する状態）から、第一縫着部αを解いて（第一縫着部αの縫糸を切断して）、スカート生地１１を裾線（仮想線Ｌ２）付近で下側に引っ張ると、最大伸長状態（図２（i）に相当する状態）となる。この最大伸長状態においては、上向き折返部も下向き折返部も存在しなくなる。
【００４５】
４．  第二実施態様のスカートの製造方法
第二実施態様のスカートは、その製造方法が一義的に定まるものではないが、以下の製造方法により好適に製造することができる。すなわち、第二実施態様のスカートは、後述する準備段階と、第一折返工程と、第一縫着工程と、第二折返工程と、第二縫着工程と、第三折返工程と、第三縫着工程と、第四折返工程と、第四縫着工程と、所定の後工程とを経て好適に製造することができる。以下、これらの工程について順に説明する。以下において、特に言及しない構成については、上記の「２．  第一実施態様のスカートの製造方法」で述べた構成を採用することができる。
【００４６】
４．１  準備段階〜第二縫着工程（第二実施態様のスカート）
第二実施態様のスカートの製造方法における準備段階と第一折返工程と第一縫着工程と第二折返工程と第二縫着工程は、第一実施態様のスカートとほぼ同様である。すなわち、第二実施態様のスカートの製造方法におけるこれらの工程については、その第一折返工程における仮想線Ｌ２と下端縁Ｅ２との距離（上下方向での間隔）を除いて、上記の「２．  第一実施態様のスカートの製造方法」で述べた内容がそのまま当てはまる。ここで、「その第一折返工程における仮想線Ｌ２と下端縁Ｅ２との距離（上下方向での間隔）を除いて」という適用除外を設けたのは、第二実施態様のスカートでは、図３（v）に示すように、その下向き折返部Ｌ９−Ｅ２に、第一実施態様のスカートにおける下向き折返部Ｌ３−Ｅ２（図２（iii）を参照）には存在しなかった第三縫着部γ及び第四縫着部δが形成されるため、その分だけ、仮想線Ｌ２と下端縁Ｅ２との距離を長く（２倍）確保する必要があるからである。
【００４７】
４．２  第三折返工程（第二実施態様のスカート）
第三折返工程は、スカート生地１１を図３（iii）に示す状態から図３（iv）に示す状態へと折り返す工程である。すなわち、図３（iii）のスカート生地１１の仮想線Ｌ６が仮想線Ｌ７に重なるように（同図の矢印ａ３で示すように）、仮想線Ｌ６でスカート生地１１を持ち上げて裏面側に折り返し、仮想線Ｌ５でスカート生地１１を伸ばしながら（仮想線Ｌ５での折り返しを解消しながら）、仮想線Ｌ８でスカート生地１１を裏面側に折り返す工程である。ここで、仮想線Ｌ６は、スカート生地１１の仮想線Ｌ２と仮想線Ｌ３との間に位置する仮想の線であって、下端縁Ｅ２に対して平行な線を意味している。また、仮想線Ｌ７は、スカート生地１１の上端縁Ｅ１と仮想線Ｌ４との間に位置する仮想の線であって、下端縁Ｅ２に対して平行な線を意味している。さらに、仮想線Ｌ８は、スカート生地１１の仮想線Ｌ１と仮想線Ｌ５との間に位置する仮想の線であって、下端縁Ｅ２に対して平行な線を意味している。
【００４８】
ところで、スカート生地１１における仮想線Ｌ６と仮想線Ｌ３との距離（上下方向での間隔）は、スカート生地１１における仮想線Ｌ８と仮想線Ｌ５との距離（上下方向の間隔）、すなわち、スカートを第一伸長状態から第二伸長状態へと変形する際の裾丈の伸長幅に一致する。仮想線Ｌ６と仮想線Ｌ３との距離は、特に限定されないが、上記の「２．４  第二折返工程（第一実施態様のスカート）」で述べたものと同様である。また、第三折返工程を終えた後に、必要に応じて、スカート生地１１の下縁部にアイロンを当てたりスチームプレスをしたりするなどの処理を行うと好ましいことについても、上記の「２．４  第二折返工程」と同様である。
【００４９】
４．３  第三縫着工程（第二実施態様のスカート）
第三縫着工程は、図３（iv）に示すように、スカート生地１１の仮想線Ｌ６を仮想線Ｌ７に対して縫着することにより、第三縫着部γを形成する工程である。第三縫着工程は、手縫いで行ってもよいが、通常、ミシンを用いて行われる。第三縫着部γを形成する縫糸や、その第三縫着部γの縫い方については、上記の「２．５  第二縫着工程（第一実施態様のスカート）」で述べたものと同様である。
【００５０】
４．４  第四折返工程（第二実施態様のスカート）
第四折返工程は、スカート生地１１を図３（iv）に示す状態から図３（v）に示す状態へと折り返す工程である。すなわち、図３（iv）のスカート生地１１の仮想線Ｌ９が仮想線Ｌ１０に重なるように（同図の矢印ａ４で示すように）、仮想線Ｌ９でスカート生地１１を持ち上げて裏面側に折り返し、仮想線Ｌ８でスカート生地１１を伸ばしながら（仮想線Ｌ８での折り返しを解消しながら）、仮想線Ｌ１１でスカート生地１１を裏面側に折り返す工程である。ここで、仮想線Ｌ９は、スカート生地１１の仮想線Ｌ２と仮想線Ｌ６との間に位置する仮想の線であって、下端縁Ｅ２に対して平行な線を意味している。また、仮想線Ｌ１０は、スカート生地１１の上端縁Ｅ１と仮想線Ｌ７との間に位置する仮想の線であって、下端縁Ｅ２に対して平行な線を意味している。さらに、仮想線Ｌ１１は、スカート生地１１の仮想線Ｌ１と仮想線Ｌ８との間に位置する仮想の線であって、下端縁Ｅ２に対して平行な線を意味している。
【００５１】
ところで、スカート生地１１における仮想線Ｌ９と仮想線Ｌ６との距離（上下方向での間隔）は、スカート生地１１における仮想線Ｌ１１と仮想線Ｌ８との距離（上下方向の間隔）、すなわち、スカートを第二伸長状態から第三伸長状態へと変形する際の裾丈の伸長幅に一致する。仮想線Ｌ９と仮想線Ｌ６との距離は、特に限定されないが、上記の「２．４  第二折返工程（第一実施態様のスカート）」で述べたものと同様である。また、第四折返工程を終えた後に、必要に応じて、スカート生地１１の下縁部にアイロンを当てたりスチームプレスをしたりするなどの処理を行うと好ましいことについても、上記の「２．４  第二折返工程（第一実施態様のスカート）」と同様である。
【００５２】
３．５  第四縫着工程（第二実施態様のスカート）
第四縫着工程は、図３（v）に示すように、スカート生地１１の仮想線Ｌ９を仮想線Ｌ１０に対して縫着することにより、第四縫着部δを形成する工程である。第四縫着工程は、手縫いで行ってもよいが、通常、ミシンを用いて行われる。第四縫着部δを形成する縫糸や、その第四縫着部δの縫い方については、上記の「２．５  第二縫着工程（第一実施態様のスカート）」で述べたものと同様である。
【００５３】
３．６  後工程（第二実施態様のスカート）
第四縫着工程を終えると、必要に応じて、スカート生地１１にプリーツ加工などの加工を施し、スカート生地１１の上端縁Ｅ１に沿ってウエストベルトを縫着するなど、必要な部材を取り付けた後、スカート生地１１を筒状に縫着してスカートを完成させる。得られたスカートは、初期状態から第一伸長状態と第二伸長状態とを経て第三伸長状態へとなるまで４段階で、又は、初期状態から第一伸長状態と第二伸長状態と第三伸長状態とを経て最大伸長状態へとなるまで５段階で、その裾丈を調節することができるものとなっている。第二実施態様のスカートは、図３（v）に示すように、その初期状態において、スカート生地１１の下縁部が３重にしか折り返されていないにもかかわらず、４段階又は５段階でその裾丈を調節できるものとなっている。このため、スカートを、その裾丈を多段階で調節できるものとしながらも、スカートの裾部が厚くならないようにして、スカートの外観や着用感を良好に保つことができる。
【符号の説明】
【００５４】
１０  スカート（衣類）
１１  スカート生地（衣類生地）
１２  ウエストベルト
Ｅ１  スカート生地（衣類生地）の上端縁
Ｅ２  スカート生地（衣類生地）の下端縁
Ｌ１〜Ｌ１１  スカート生地（衣類生地）の仮想線
α  第一縫着部
β  第二縫着部
γ  第三縫着部
δ  第四縫着部
【図１】
2015040364.tif 000003
【図２】
2015040364.tif 000004
【図３】
2015040364.tif 000005